(57)【要約】【課題】簡単な構造で球送りの動作を確実に行うことができるうえに、球を短時間で静止させることができる球供給機構を備えた弾球発射装置を提供する。【解決手段】球を弾球槌３により発射する弾球機構２と、弾球を遊技盤に案内する１次レール１１とを取付けた台板１上に、弾球槌３の回動が伝達されて１次レール１１の球発射位置に球を送り込む球供給機構５を、直接固着する。球供給機構５には、台板１の板面に対して横方向に揺動する球送り出し部材６を備えて、該球送り出し部材６に弾球槌３の回動を伝達して球を横方向に送り出すようにする。また、球送り出し部材６は、先端に下向きの二股状に分岐した球保持部６１或いは上向きの球受け用の凹部を有するものとし、さらに、球供給機構５の厚みを、１次レール１１の幅以下の薄いものとする。【選択図】    図１
2004180851.tif 000002
【特許請求の範囲】
【請求項１】
球を弾球槌により発射する弾球機構と、弾球を遊技盤に案内する１次レールとを取付けた台板上に、弾球槌の回動が伝達されて１次レールの球発射位置に球を送り込む球供給機構を、直接固着したことを特徴とする遊技機の球発射装置。
【請求項２】
球供給機構は、台板の板面に対して横方向に揺動する球送り出し部材を有しており、該球送り出し部材に弾球槌の回動を伝達して球を横方向に送り出すようにした請求項１に記載の遊技機の球発射装置。
【請求項３】
球送り出し部材は、一端に二股状に分岐した球保持部を有するものである請求項２に記載の遊技機の球発射装置。
【請求項４】
球送り出し部材は、一端に球受け用の凹部を有するものである請求項２に記載の遊技機の球発射装置。
【請求項５】
球供給機構の厚みを、１次レールの幅以下とした請求項１〜４の何れかに記載の遊技機の球発射装置。
【発明の詳細な説明】
【０００１】
【発明の属する技術分野】
本発明は、球送り操作が確実な球供給機構を備えた遊技機の球発射装置に関するものである。
【０００２】
【従来の技術】
パチンコ遊技機の正面下部には、球を上方の遊技盤内に打込むための球発射装置が設けられているが、この球発射装置は、弾球槌とこの槌を駆動するモーターとからなる弾球機構と、球を１次レールの球発射位置に供給する球供給機構を備えているものである。すなわち、弾球機構は、１次レールの球発射位置に球供給機構により一定のタイミングで供給された球を弾球槌により弾球することにより球を発射するものである。また、球供給機構は、上皿から導入した球をストッパー（球送り出し部材）の間歇駆動により球の供給口を開閉することで、球を一定のタイミングで１次レールの球発射位置に供給するものである。
【０００３】
しかしながら、従来の弾球発射装置においては特開２００１−１０４５５１号公報に示されているように、球供給機構はケース内に備えられていてこのケースが台板に枢着されるもので、弾球機構とは別個に構成されたものであったので、部品点数の増大、装置全体の大型化、球送り構造の複雑化を招くものであった。
また、この球供給機構においては、上皿から導入した球を遊技機の板面に向けて前から後ろ方向に送り出したうえ、その後球が１次レールの上を球発射装置まで若干下るという前後左右の３次元的な移動を伴うものであったので、球の流路が長くなって球の静止までに時間がかかるという問題があった。また、前記したストッパーは弾球槌に直接係合して作動するものではなかったので、球送りの動作が不確実で球流路の複雑さと相俟って球の供給トラブルを発生し易いという問題があった。
【０００４】
【特許文献１】特開２００１−１０４５５１号公報（第４頁、図３）
【０００５】
【発明が解決しようとする課題】
本発明は上記した従来の問題点を解決し、簡単な構造で弾球槌と直接係合させて球送りの動作を確実に行うことができるうえに、球を短時間で静止させることができる球供給機構を備えた遊技機の弾球発射装置を提供するためになされたものである。
【０００６】
【課題を解決するための手段】
上記の課題を解決するためになされた本発明の遊技機の球発射装置は、球を弾球槌により発射する弾球機構と、弾球を遊技盤に案内する１次レールとを取付けた台板上に、弾球槌の回動が伝達されて１次レールの球発射位置に球を送り込む球供給機構を、直接固着したことを特徴とするものである。
【０００７】
なお、上記した球供給機構は、台板の板面に対して横方向に揺動する球送り出し部材が垂設されており、該球送り出し部材に弾球槌の回動を伝達して球を横方向に送り出すようにすることができ、また、球送り出し部材は、一端に二股状に分岐した球保持部を有するものとすることができ、球送り出し部材は、一端に球受け用の凹部を有するものとすることができ、さらに、球供給機構の厚みを、１次レールの幅以下の薄いものとすることができる。
【０００８】
【発明の実施の形態】
以下に図面を参照しつつ本発明の好ましい実施形態を説明する。
図１〜３は本発明の弾球発射装置を示す図であって、１は金属製の台板であって、この台板１には、弾球を上方の遊技盤に案内する１次レール１１と、弾球槌３とモーター４を主要構成とする弾球機構２とが配設されているうえに、球送り出し部材６を備えた球供給機構５が直接台板１に螺子により固着されている。
【０００９】
弾球槌３は弾球バネ３１を有する先端を下向きとし、ベアリング３２により支持された支軸３３を中心に回動する。支軸３３には、モーター４の回転軸４１に取付けられた勾球状の駆動カム４２を介して、モーター４の回転が伝達される動力伝達部材８が軸着されており、この動力伝達部材８は弾球槌３と一体に回動する。さらに、支軸３３には、動力伝達部材８とは独立して回動可能な弾球力調節レバー９が軸着されている。３４、３５は弾球槌３の回動を制止するクッション体からなるストッパーである。
【００１０】
動力伝達部材８は、一方に駆動アーム８１を、他方に球送り出し部材６を揺動させる球取込み用作動カム８２を備えている。駆動アーム８１先端のコロ軸８３にはコロ８４が挿着されていて、このコロ８４に勾球状の駆動カム４２が間欠的に係合して動力伝達部材８を回動させる。
【００１１】
球供給機構５は、台板１にかしめて固着した支軸５２に球送り出し部材６が台板１の板面に対して左右の横方向に揺動可能に軸着されており、球送り出し部材６は先端に二股状に分岐した下向きの球保持部６１と、球取込み用作動カム８２と係合する突起６２を備えた後端部６３とからなる。球保持部６１は上皿からカバー５１の球導入口６４を経由して受け入れた球を二股の間に受け入れて仮保持する。また、後端部６３には球送り出し部材６を球の送り出し方向に付勢するバネ６５が装着されている。球供給機構５は、１次レールの幅以下の厚みとしてあるので、上皿の形状を単純なものとすることができる。
【００１２】
なお、７は弾球力の調整装置であって、調節ジョイント７１に球の発射を司る操作ハンドルの把持部（図示していない）が回動自在に取付けられている。操作ハンドルを回動することによりリンクロッド７２が動作され、弾球力調整レバー９が回動されることによって支軸３３に装着された発射バネ３６が捻回させられるので、操作ハンドルの回動の程度により弾球力を調整することができる。
【００１３】
本発明の弾球発射装置における球の供給、発射のメカニズムを、図４〜７により説明する。
図４は、駆動カム４２と駆動アーム８１との係合が解除された直後の状態を示す図であって、弾球槌３により球が弾球されて発射されるとともに、球送り出し部材６の球保持部６１が球送り出し方向（図では左方向）に回動されて、球受け部５３に取り込まれていた次球が横方向に押し出されて１次レール１１の上に落下する。
【００１４】
そして、図５に示す駆動アーム８１と駆動カム４２との係合が開始されるまでは、弾球槌３及び球送り出し部材６は動くことなく静止されており、次球は弾球槌３のセンタの弾球バネ３１に止められて球発射位置の僅か手前に位置している。駆動カム４２の回転が進んで、図６に示すように、駆動アーム８１が駆動カム４２により押し上げられることにより、弾球槌３が後退を開始するとともに、球送り出し部材６の後端部６３が球取込み用作動カム８２により押し上げられて、球保持部６１が退却する。この時、球はカバー５１の下端５４と１次レール１１との間に球１個分未満の隙間でもって形成された球発射位置にまで僅か移動して静止される。
【００１５】
そして、図７に示すように駆動カム４２の先端が駆動アーム８１を最大に押し上げたときに、弾球槌３は発射の準備が完了するとともに、次次球が球送り出し部材６の二股状の球保持部６１に流れ込むことができて、次次球の送り出しの準備が完了する。次いで駆動カム４２と駆動アーム８１との係合が解除されると図４に示した元の状態に戻る。以上のような動作を繰り返すことによって、弾球発射装置は球を連続的に打ち出すことができる。
【００１６】
以上のように、球保持部６１に取り込まれた球の送出時の移動は、球受け部５３上を横方向に移動し、この球受け部５３から１次レール１１上に縦方向に落下するという一平面内の移動であって、従来のような台板１の板面に対して前後方向の移動はない。したがって、球が１次レール１１に致るまでの経路を大幅に短いものとすることができるうえに、球送り出し機構５を簡単なものとすることができる。
【００１７】
また、駆動アーム８１を駆動カム４２に部分的に重なるように配置したので、駆動アーム８１を短いものとして、モーター４の回転軸４１と弾球槌３の支軸３３とを近づけることによって、弾球発射装置を小型のものとすることができる。
また、駆動アーム８１の長さを短くすることにより、駆動カム４２先端の径を小さくしても弾球槌３の回動角を大きく取ることができる。
なお、上記した実施形態においては球取込み用の作動カム８２を動力伝達部材８に設けたが、図８、９に示すように、弾球槌３の後端部に設けてもこの作動カム８２と球送り出し部材６とを係合させて、球の送り出しと取り込みを確実に行うことができる。さらに、弾球槌３に後端部に球取込み用作動カム８２を設けるとともに、この作動カム８２に対し略直角方向に駆動アーム８１を延接しても同様な効果を得ることができ、この場合には動力伝達部材８を省略することができる。
【００１８】
図１０、１１は第３の実施形態の弾球発射装置を示す図であって、この実施形態においては、球送り出し部材６は支軸５２の上側に球受け用の凹部６７が上向きに形成されており、後端部６３には突起６２を備えており、また支軸５２と突起６２の間には係止突起６６が設けられ、この係止突起６６にバネ６５が掛着されて、玉送り出し部材６を球導入口６４内の球を支承する方向に付勢している。
図１０においては、駆動カム４２と駆動アーム８１との係合が解除されて球を発射した直後であって、球送り出し部材６の後端部６３がバネ６５の付勢により引き付けられて回動し、球受け用の凹部６７から球が１次レール１１の上に落下している。
【００１９】
そして、図１２に示すように駆動アーム８１と駆動カム４２とが係合開始して球送り出し部材６の後端部６３が球取込み用作動カム８２により押し下げられて球導入口６４から後退し始めるが、この状態では未だ球は球受け用の凹部６７に取り込まれてはいない。駆動カム４２の回転が進んで、図１３の状態を経て図１４に示すように球送り出し部材６が完全に押し下げられたときに、球は球受け用の凹部６７に入り込むことができる。この時球圧は全て支軸５２に対してラジアル方向にのみかかる。球が凹部６７に流入後引き続いて弾球槌３の発射の準備が完了する。そして、駆動アーム８１と駆動カム４２の係合が解除された時に弾球槌３は球を発射することができる。
以上のように、一端に球受け用の凹部６７を上向きに設けて球送り出し部材６を押し下げる方式としたものは、球の運動軌跡を完全に二次元的にすることができて球の受け入れと送り出しを確実に行うことができる。
【００２０】
【発明の効果】
以上に説明したように、本発明の遊技機の球発射装置は、弾球槌の回動が伝達されて１次レールの球発射位置に球を送り込む球供給機構を、直接台板上に固着したので、球供給機構を簡単な構造のものとすることができ、装置全体の小型化、部品点数の削減を図ることができる。
球供給機構を、台板の板面に対して横方向に揺動する球送り出し部材を備えるものとして、該球送り出し部材に弾球槌の回動を伝達して球を横方向に送り出すようにしたので、球の流路を一平面内に形成して短くすることができ、球の送り出しに要する時間を短くすることができる。このため弾球後の弾球槌を発射状態に戻す時間に余裕ができるので、モーターの駆動力を小さいものとして消費電力を低減することができる。また、球送り出し部材と弾球槌とを直接係合できるようにしたので、弾球槌の回動を確実に伝達して球送りの動作を行うことができる。
また、球送り出し部材を、一端に二股状に分岐した球保持部或いは球受け用の凹部を有するものとしたので、球の取り込みと送り出しを確実に行うことができるので、球詰まりなどのトラブルが発生することがない。さらに、球供給機構の厚みを１次レールの幅以下の薄いものとしたので、上皿の構造を簡単なものとすることができるという利点がある。
【図面の簡単な説明】
【図１】本発明の弾球発射装置の正面図である。
【図２】本発明の弾球発射装置の背面図である。
【図３】本発明の弾球発射装置の平面図である。
【図４】球発射直後の弾球発射装置の要部正面図である。
【図５】弾球槌が後退開始直前である弾球発射装置の要部正面図である。
【図６】弾球槌が後退途中である弾球発射装置の要部正面図である。
【図７】弾球槌が後退完了した弾球発射装置の要部正面図である。
【図８】本発明の弾球発射装置の第２の実施形態を示す正面図である。
【図９】弾球槌が後退完了した第２の実施形態の弾球発射装置の正面図である。
【図１０】第３の実施形態の弾球発射装置の要部正面図である。
【図１１】第３の実施形態の弾球発射装置の要部平面図である。
【図１２】弾球槌が後退開始直前である第３の実施形態の弾球発射装置の要部正面図である。
【図１３】弾球槌が後退途中である第３の実施形態の弾球発射装置の要部正面図である。
【図１４】弾球槌が後退完了した第３の実施形態の弾球発射装置の要部正面図である。
【符号の説明】
１  台板
２  弾球機構
３  弾球槌
５  球供給機構
６  球送り出し部材
１１  １次レール
６１  球保持部
【図１】
2004180851.tif 000003
【図２】
2004180851.tif 000004
【図３】
2004180851.tif 000005
【図４】
2004180851.tif 000006
【図５】
2004180851.tif 000007
【図６】
2004180851.tif 000008
【図７】
2004180851.tif 000009
【図８】
2004180851.tif 000010
【図９】
2004180851.tif 000011
【図１０】
2004180851.tif 000012
【図１１】
2004180851.tif 000013
【図１２】
2004180851.tif 000014
【図１３】
2004180851.tif 000015
【図１４】
2004180851.tif 000016